(57)【要約】【課題】監督者以外の者によるメッセージの配信を可能にしつつ、監督者が簡易にメッセージの内容を監督するのに好適なサーバ等を提供する。【解決手段】草稿受付部は、送付元ユーザの送付元端末２００から宛先ユーザ宛のメッセージの草稿を受け付ける（１）。特定部は、送付元ユーザ及び宛先ユーザが属するグループを特定し、当該グループを担当する管理担当者を特定する（２）。草稿通知部は、草稿を管理担当者の管理端末４００へ通知する（３）。確認受付部は、メッセージの配布を管理担当者が許可した旨を示す確認を受け付ける（４）。メッセージ通知部は、確認が受け付けられると草稿のメッセージを宛先ユーザの宛先端末３００に通知する（５−１〜５−ｍ）。回答受付部は、メッセージを宛先ユーザが読んだ旨を示す回答を受け付ける（６−１〜６−ｎ）。集計部は、回答を集計し（７）、結果通知部は、集計結果を送付元端末３００へ通知する（８）。【選択図】図１
2018025899.tif 000002
【特許請求の範囲】
【請求項１】
送付元ユーザが使用する送付元端末から、宛先ユーザ宛のメッセージの草稿を受け付ける草稿受付部、
前記送付元ユーザ及び前記宛先ユーザが属するグループを特定し、前記特定されたグループを担当する管理担当者を特定する特定部、
前記宛先ユーザ宛の前記受け付けられた草稿を、前記特定された管理担当者が使用する管理端末へ通知する草稿通知部、
前記通知された草稿にかかるメッセージを前記宛先ユーザに配布することを、前記管理担当者が前記管理端末において許可した旨を示す確認を、前記管理端末から受け付ける確認受付部、
前記確認が受け付けられると、前記草稿にかかるメッセージを、前記宛先ユーザが使用する宛先端末のそれぞれへ通知するメッセージ通知部、
前記宛先端末のそれぞれに前記通知されたメッセージを当該それぞれの宛先端末を使用する宛先ユーザが読んだ旨を示す回答を、当該それぞれの宛先端末から受け付ける回答受付部、
前記受け付けられた回答を集計する集計部、
前記集計された結果を、前記送付元端末へ通知する結果通知部
を備えることを特徴とするサーバ。
【請求項２】
前記送付元ユーザに割り当てられたパスワードが前記送付元端末にて入力されると、前記送付元端末から前記草稿が送信され、前記草稿受付部は、前記草稿を受け付ける
ことを特徴とする請求項１に記載のサーバ。
【請求項３】
前記草稿受付部は、前記送付元端末から、前記草稿とともに、前記グループの指定を受け付け、
前記特定部は、前記指定されたグループに基づいて前記管理担当者を特定する
ことを特徴とする請求項１に記載のサーバ。
【請求項４】
前記特定部は、前記送付元ユーザ及び前記宛先ユーザが属する最小のグループを、前記グループとして特定する
ことを特徴とする請求項１に記載のサーバ。
【請求項５】
前記サーバは学校により運営され、
前記送付元ユーザ及び宛先ユーザは、前記学校の生徒又は前記生徒の保護者であり、
前記グループは、前記学校の団体、当該団体に属する生徒の保護者からなる団体及び当該団体に属する生徒と当該生徒の保護者とからなる団体であり、
前記管理担当者は、前記学校の先生であって、前記団体の担任、副担任、顧問、副顧問、主任、学年主任、教頭又は校長である
ことを特徴とする請求項１に記載のサーバ。
【請求項６】
前記メッセージは、前記宛先ユーザが選択可能な選択肢を含み、
前記回答には、前記宛先ユーザが前記宛先端末にて選択した選択肢が指定され、
前記集計部は、前記指定された選択肢を集計する
ことを特徴とする請求項５に記載のサーバ。
【請求項７】
前記結果通知部は、前記集計された結果を、前記特定された管理担当者が使用する管理端末へさらに通知する
ことを特徴とする請求項６に記載のサーバ。
【請求項８】
前記メッセージが通知されてから所定の時間を経過した後であっても、前記集計部により集計された結果が、所定の終了条件を満たさない場合、前記サーバは、
前記特定された最小のグループを包含する新たなグループを特定し、
前記新たなグループに属する新たな宛先ユーザを前記受け付けられた草稿の宛先として、
前記特定部、前記草稿通知部、前記確認受付部、前記メッセージ通知部、前記回答受付部、前記集計部及び前記結果通知部による処理を繰り返す
ことを特徴とする請求項７に記載のサーバ。
【請求項９】
前記宛先ユーザは、前記団体に属する生徒及び前記団体に属する生徒の保護者であり、
前記集計された結果にて、前記生徒のそれぞれと、当該それぞれの生徒の保護者と、の回答が一致しなければ、当該回答が一致しない生徒及び保護者に、再回答を求める旨を示す警告を通知する
ことを特徴とする請求項６に記載のサーバ。
【請求項１０】
コンピュータを、請求項１から９に記載のサーバとして機能させることを特徴とするプログラム。
【発明の詳細な説明】
【技術分野】
【０００１】
本発明は、サーバ及びプログラムに関し、特に、メッセージの配信に関するものである。
【背景技術】
【０００２】
従来から、教育機関から生徒やその保護者へスマートフォン等の端末の通知機能を用いた連絡を行う技術が知られている。例えば、特許文献１には、学校や塾において、予め配信先を登録して一斉メールを配信することで、配信者の電子メール作成の手間を削減する電子回覧版システムが開示されている。
【先行技術文献】
【特許文献】
【０００３】
【特許文献１】特開２００４−１３３６０号公報
【発明の概要】
【発明が解決しようとする課題】
【０００４】
このような技術は、安全性や教育上の責任等の観点から、情報の発信者が教育機関側に限られ、生徒や保護者が情報の発信者となり、連絡事項を共有できないのが一般的である。しかしながら、生徒や保護者から情報の発信を希望する場合も多い。
【０００５】
本発明は、上記のような課題を解決するもので、監督者以外の者によるメッセージの配信を可能にしつつ、監督者が簡易にメッセージの内容を監督するのに好適なサーバ及びプログラムを提供することを目的とする。
【課題を解決するための手段】
【０００６】
本発明の第１の観点に係るサーバは、
送付元ユーザが使用する送付元端末から、宛先ユーザ宛のメッセージの草稿を受け付ける草稿受付部、
前記送付元ユーザ及び前記宛先ユーザが属するグループを特定し、前記特定されたグループを担当する管理担当者を特定する特定部、
前記宛先ユーザ宛の前記受け付けられた草稿を、前記特定された管理担当者が使用する管理端末へ通知する草稿通知部、
前記通知された草稿にかかるメッセージを前記宛先ユーザに配布することを、前記管理担当者が前記管理端末において許可した旨を示す確認を、前記管理端末から受け付ける確認受付部、
前記確認が受け付けられると、前記草稿にかかるメッセージを、前記宛先ユーザが使用する宛先端末のそれぞれへ通知するメッセージ通知部、
前記宛先端末のそれぞれに前記通知されたメッセージを当該それぞれの宛先端末を使用する宛先ユーザが読んだ旨を示す回答を、当該それぞれの宛先端末から受け付ける回答受付部、
前記受け付けられた回答を集計する集計部、
前記集計された結果を、前記送付元端末へ通知する結果通知部
を備えることを特徴とする。
【０００７】
本発明の第２の観点に係るプログラムは、
上記に記載のサーバとして機能させることを特徴とする。
【０００８】
上記プログラムは、非一時的なコンピュータ読取可能な情報記録媒体に格納され、コンピュータとは独立して配布・販売することができる。ここで、非一時的な（non-transitory）情報記録媒体とは、有形な（tangible）情報記録媒体をいう。非一時的な情報記録媒体は、例えば、コンパクトディスク、フレキシブルディスク、ハードディスク、光磁気ディスク、ディジタルビデオディスク、磁気テープ、半導体メモリ等である。また、上記プログラムは、一時的な（transitory）情報記録媒体を介して、配布・販売してもよい。一時的な情報記録媒体は、伝送媒体（伝搬信号）それ自体を示す。一時的な情報記録媒体は、例えば、電気信号、光信号、電磁波等である。
【発明の効果】
【０００９】
本発明によれば、監督者以外の者によるメッセージの配信を可能にしつつ、監督者が簡易にメッセージの内容を監督するのに好適なサーバ及びプログラムを提供することができる。
【図面の簡単な説明】
【００１０】
【図１】本発明の実施形態に係るサーバ、送付元端末、宛先端末及び管理端末の間で行われる通信の例を示す図である。
【図２】宛先選択画面の例を示す図である。
【図３】送付元端末から送信されるメッセージの草稿の例を示す図である。
【図４】管理端末が受信するメッセージの草稿の例を示す図である。
【図５】送付元端末が受信する集計結果の例を示す図である。
【発明を実施するための形態】
【００１１】
本発明の実施形態に係るサーバ装置１００が実現される典型的な情報処理装置は以下の構成を有する。
【００１２】
情報処理装置は、ＣＰＵ（Central Processing Unit）と、ＲＯＭ（Read Only Memory）と、ＲＡＭ（Random Access Memory）と、記憶装置と、ＮＩＣ（Network Interface Card）と、画像処理部と、音声処理部と、ディスプレイと、スピーカと、コントローラと、を備える。
【００１３】
情報処理装置に電源が投入されると、サーバ１００として機能させるプログラムが実行され、実施形態に係るサーバ１００が実現される。
【００１４】
サーバ１００は、草稿受付部、特定部、草稿通知部、確認受付部、メッセージ通知部、回答受付部、集計部及び結果通知部、から構成される。
【００１５】
本実施形態において、ＣＰＵ及びＮＩＣが協働して、草稿受付部、草稿通知部、確認受付部、メッセージ通知部、回答受付部及び結果通知部として機能する。また、ＣＰＵが特定部及び集計部として機能する。
【００１６】
図１に、サーバ１００、送付元端末２００、宛先端末３００及び管理端末４００の間で行われる通信の例を示す。
【００１７】
サーバ１００は、学校により運営される装置である。
【００１８】
送付元端末２００は、送付元ユーザが使用する端末であり、送付元ユーザは、学校の生徒又は生徒の保護者である。
【００１９】
宛先端末３００は、宛先ユーザが使用する端末であり、宛先ユーザは、学校の生徒又は生徒の保護者である。
【００２０】
管理端末４００は、管理担当者（監督者）が使用する端末であり、管理担当者は、学校の先生であって、団体の担任、副担任、顧問、副顧問、主任、学年主任、教頭又は校長である。
【００２１】
以下、図１を参照して、サーバ１００の機能について説明する。
【００２２】
例えば、送付元ユーザである生徒Ｘが、メッセージ送信アプリを立ち上げると、メッセージの宛先を指定するための宛先選択画面５００（図２）が表示される。宛先選択画面５００には、アプリを立ち上げた（或いはログインした）送付元ユーザが属するグループが記されるグループリスト５１０と、グループリスト５１０のグループのうち選択されたグループに所属するメンバーが記されるメンバーリスト５２０と、が含まれる。各リストの項目にはチェックボックスが対応付けられ、項目が選択されるとチェックボックスにチェックマークが付される。送付元ユーザは、グループ及びメンバーを、一つ又は複数選択することができる。
【００２３】
グループは、学校の団体（班、クラス、学年、全生徒、部又は同好会を含む。）、当該団体に属する生徒の保護者からなる団体及び当該団体に属する生徒と当該生徒の保護者とからなる団体である。グループには、一人の管理担当者とその他の複数のメンバー（生徒や部員等）が含まれるのが典型である。グループは複数用意される。グループ同士は、階層関係にあってもよいが、いずれのグループも対等であり階層関係がなくてもよい。
【００２４】
例えば、生徒Ｘが、グループリスト５１０から自身が所属する「合唱部」のグループを選択すると、「合唱部」に所属するメンバーの宛先（或いはメンバーの氏名）がメンバーリスト５２０に表示される。そして、生徒Ｘがメンバーリスト５２０から、メッセージの宛先として生徒Ａ、Ｂ、Ｃを選択したとすると、草稿６００（図３）の宛先情報６３０に生徒Ａ、Ｂ、Ｃの宛先が記入される。
【００２５】
送付元ユーザがメッセージ６１０を作成したとする。メッセージ６１０には、宛先ユーザが選択可能な選択肢６２０が含まれる。送付元ユーザが、自身のパスワードをパスワード記入欄６４０に記入し、送信ボタン６５０を選択すると、送付元端末２００から、メッセージ６１０及び宛先ユーザを示す宛先情報６３０が含まれる草稿６００がサーバ１００に送信される。
【００２６】
なお、草稿受付部は、送付元端末２００から、草稿とともにグループの指定を受け付けてもよい。例えば、送付元端末２００は、草稿６００の送信に際し、グループリスト５１０のうち選択されたグループの情報をサーバ１００に送信し、草稿受付部は選択された（指定された）グループの情報を受け付ける。
【００２７】
或いは、送信に際し、送付元ユーザは、送付元端末２００において、グループに対応付けられたパスワードを入力し、当該パスワードがサーバ１００に送信され、草稿受付部は当該パスワードを受け付けるようにしてもよい。このパスワードは、グループに対応付けられてサーバ１００に登録されているとし、サーバ１００には、グループに対応付けて、各グループに属する者の氏名や連絡先等が登録されている。サーバ１００は、受け付けたパスワードに基づいてグループの特定を行うようにしてもよい。
【００２８】
例えば、生徒Ｘは、草案６００をサーバ１００に送信する際に、「合唱部」に対応付けられたパスワードを入力する。
【００２９】
本実施形態において、「合唱部」のグループは、さらに、部の運営を行う部員からなる「役員」のグループ、それ以外の部員からなる「一般部員」のグループ及び保護者などが含まれる「その他」のグループに分けられているとする。生徒Ｘ（送付元ユーザ）及び生徒Ａ、Ｂ、Ｃ（宛先ユーザ）は、「合唱部」の「役員」グループに所属しているとする。
【００３０】
サーバ１００の草稿受付部は、送付元ユーザが使用する送付元端末２００から、宛先ユーザ宛のメッセージの草稿を受け付ける（１）。
【００３１】
例えば、草稿受付部は、生徒Ｘが使用する送付元端末２００から、メッセージ６１０及び生徒Ａ、Ｂ、Ｃ宛の宛先情報６３０が含まれる草稿６００を受け付ける。
【００３２】
また、草稿受付部は、草稿とともに、指定されたグループの情報が送られてきた場合は、グループの情報を送付元端末２００から受け付ける。或いは、草稿とともに、送付元ユーザが送付元端末２００にて入力したパスワードが送られてきた場合、パスワードを送付元端末２００から受け付ける。
【００３３】
サーバ１００の特定部は、送付元ユーザ及び宛先ユーザが属するグループを特定し、特定されたグループを担当する管理担当者を特定する（２）。
【００３４】
サーバ１００には、グループに対応付けて、グループの管理担当者の氏名や連絡先等の情報が登録されている。
【００３５】
例えば、草稿受付部が、メッセージ６１０及び宛先ユーザを示す宛先情報６３０を受け付けた場合、特定部は、サーバ１００に登録された情報を参照して、宛先情報６３０から、グループを「合唱部」と特定し、管理担当者を「合唱部の顧問」と特定する。
【００３６】
なお、草稿受付部が、指定されたグループの情報を受け付けた場合は、特定部は、受け付けたグループの情報から、管理担当者を特定するようにしてもよい。あるいは、草稿受付部が、グループに対応付けられたパスワードを受け付けた場合は、特定部は、受け付けられたパスワードからグループを特定するようにしてもよい。
【００３７】
また、グループの指定を受け付けていない場合、或いは、グループに対応付けられたパスワードを受け付けていない場合、特定部は、送付元ユーザ及び宛先ユーザが含まれる最小のグループを特定するようにしてもよい。例えば、特定部は、生徒Ａ、Ｂ、Ｃが含まれる最小のグループを合唱部の「役員」と特定する。そして、特定部はこのグループに基づいて、管理担当者を特定する。以下、特定部により最小のグループが特定された場合を例に説明する。
【００３８】
サーバ１００の草稿通知部は、宛先ユーザ宛の受け付けられた草稿を、特定された管理担当者が使用する管理端末４００へ通知する（３）。
【００３９】
図４に、管理端末４００に通知される草稿７００の例を示す。草稿７００には、生徒Ｘから送られた草稿６００と、この草稿を承認・許可するか否かを問い合わせるメッセージ７１０及びメッセージに対する回答を示す選択肢７２０（「許可」、「不許可」）とが含まれる。また、草稿７００には、さらに、草稿６００の送付元ユーザを示す差出人情報７３０と、特定された最小のグループを示す最小グループ情報７４０と、が含まれる。
【００４０】
草稿通知部は、草稿７００を、合唱部の顧問に通知し、合唱部の顧問は、生徒Ｘが生徒Ａ、Ｂ、Ｃ宛に送ったメッセージ６１０を、許可するか否かを判断する。合唱部の顧問は、選択肢７２０のうち、「許可」を選択したとする。
【００４１】
サーバ１００の確認受付部は、通知された草稿を宛先ユーザに配布（配信）することを、管理担当者が管理端末４００において許可した旨を示す確認を、管理端末４００から受け付ける（４）。
【００４２】
例えば、確認受付部は、合唱部の顧問の管理端末４００から、許可した旨を示す確認を受け付ける。
【００４３】
サーバ１００のメッセージ通知部は、確認が受け付けられると、草稿にかかるメッセージを、宛先ユーザが使用する宛先端末３００のそれぞれへ通知する（５−１〜５−ｍ、ｍは送付元ユーザが指定した宛先ユーザの数）。
【００４４】
例えば、メッセージ通知部は、メッセージ６１０を、生徒Ａ、Ｂ、Ｃのそれぞれの宛先端末３００に通知する。
【００４５】
なお、管理担当者が許可しない旨を示す選択肢を選択すると、サーバ１００の確認受付部は、許可しない旨を示す確認を管理端末４００から受け付け、草稿通知部は、送付元ユーザの送付元端末２００にメッセージの草稿を送り返す。
【００４６】
サーバ１００の回答受付部は、宛先端末３００のそれぞれに通知されたメッセージを当該それぞれの宛先端末を使用する宛先ユーザが読んだ旨を示す回答を、当該それぞれの宛先端末から受け付ける（６−１〜６−ｎ、ｎは回答を送信した宛先ユーザの数）。
【００４７】
回答には、宛先ユーザが宛先端末３００にて選択した選択肢が指定される。
【００４８】
例えば、宛先ユーザである生徒Ａが、選択肢６２０のうち「１．参加」を選択したとすると、回答受付部が生徒Ａの宛先端末３００から受け付ける回答には、「１．参加」が指定される。
【００４９】
サーバ１００の集計部は、受け付けられた回答を集計する（７）。
【００５０】
ここで、集計部は、回答に指定された選択肢を集計する。
【００５１】
例えば、宛先ユーザである生徒Ａ、Ｂ、Ｃから回答を受け付けたとすると、集計部は、各生徒が選択した選択肢を集計する。
【００５２】
サーバ１００の結果通知部は、集計された結果を、送付元端末２００へ通知する（８）。
【００５３】
例えば、結果通知部は、集計結果８００（図５）を、送付元ユーザである生徒Ｘの送付元端末２００に通知する。
【００５４】
本実施形態によれば、グループのメンバーが送信したメッセージを当該グループの管理担当者の指導・監督の下で、容易に他のメンバーに通知することができる。また、メッセージに対する回答の集計を、管理担当者の監督の下で、グループのメンバー主導で行うことができる。例えば、送付元端末２００、宛先端末３００及び管理端末４００がスマートフォンなどの携帯端末であれば、メッセージの通知の即時性を向上させ、メッセージができてしまえば、後は宛先ユーザ及び管理担当者は提示された選択肢から選択するという簡単な操作だけで、回答の集計を行うことができる。
【００５５】
また、結果通知部は、集計された結果を、特定された管理担当者が使用する管理端末４００へさらに通知するようにしてもよい。
【００５６】
例えば、合唱部の顧問に集計結果８００（図５）を通知してもよい。
【００５７】
また、サーバ１００は、管理担当者から選択肢の選択を受け付け、集計してもよい。
【００５８】
例えば、管理端末４００に草稿７００（図４）が通知され、管理担当者（合唱部の顧問）が選択肢６２０のいずれかを選択し、さらに、選択肢７２０のうち「許可」を選択すると、確認受付部は、いずれかの選択肢が指定された回答及び許可した旨を示す確認を受け付ける。そして、メッセージ通知部は、管理担当者がグループ（合唱部）に含まれると判断すると（例えば、管理担当者が「その他」のグループに属する）、当該管理担当者へのメッセージ６１０の通知は行わず、集計部は、宛先ユーザから受け付けた回答に指定された選択肢と、管理担当者から受け付けた回答に指定された選択肢とを集計する。
【００５９】
このような構成によれば、管理担当者からも選択肢の回答を得たい場合に、メッセージを許可するか否かを判断するときに管理担当者に選択肢を選ばせるので、管理担当者に余計なメッセージを送らないようにすることができる。また、管理担当者は許可するのであれば、選択肢の指定を行わなければならないので、回答を忘れることを防ぐことができる。なお、メッセージを許可しない場合は、選択肢の回答を行う必要はない。
【００６０】
また、メッセージが通知されてから所定の時間を経過した後であっても、集計部により集計された結果が、所定の終了条件を満たさない場合、サーバ１００は、特定された最小のグループを包含する新たなグループを特定し、新たなグループに属する新たな宛先ユーザを受け付けられた草稿の宛先として、特定部、草稿通知部、確認受付部、メッセージ通知部、回答受付部、集計部及び結果通知部による処理を繰り返すようにしてもよい。
【００６１】
例えば、修学旅行において、生徒Ｙが、一緒に行動していた生徒Ｚとはぐれてしまった場合に、生徒Ｙが送付元ユーザとなり、生徒Ｙと同じクラスの生徒全員を宛先ユーザとして、生徒Ｚの所在を問い合わせるメッセージを送信したとする。この場合、生徒Ｙのクラス担任Ｗが管理担当者として特定され、当該メッセージがクラス担任Ｗに通知される。クラス担任Ｗがメッセージを許可すると、生徒Ｙのクラスの全員にメッセージが通知される。
【００６２】
そして、３０分（所定の時間）を経過しても、生徒Ｚを見かけたという回答が一つも得られなかった（所定の終了条件を満たさない）場合、サーバ１００は、「生徒Ｙと同じ学年」を新たなグループと特定し、生徒Ｙと同じ学年に属する生徒全員を新たな宛先ユーザとする。そして、特定部は、管理担当者として「生徒Ｙの学年主任」を特定し、草稿通知部は、生徒Ｙの学年主任にメッセージの草稿を通知し、確認受付部は、生徒Ｙの学年主任から許可した旨を示す確認を受け付け、回答受付部は、生徒Ｙと同じ学年に属する生徒から回答を受け付け、集計部は、受け付けた回答を集計し、結果通知部は、生徒Ｙに集計結果を通知する。
【００６３】
このような構成によれば、メッセージの問合せ範囲を次第に広げる調査を容易に実行することができる。
【００６４】
また、宛先ユーザは、団体に属する生徒及び団体に属する生徒の保護者であり、集計された結果にて、生徒のそれぞれと、当該それぞれの生徒の保護者と、の回答が一致しない場合、当該回答が一致しない生徒及び保護者に、再回答を求める旨を示す警告を通知するようにしてもよい。
【００６５】
例えば、合唱部において、参加費用が発生する講習会の参加を問い合わせるメッセージを、生徒Ｘが合唱部のメンバー及びメンバーの保護者宛に送るとする。メッセージには、「参加」、「不参加」を示す選択肢が含まれる。この場合、草案受付部は、生徒Ｘから当該メッセージの草案を受け付け、特定部は、管理担当者を合唱部の顧問と特定し、草案通知部は、このメッセージの草案を合唱部の顧問に通知する。確認受付部が合唱部の顧問からメッセージの通知を許可する確認を受け付けると、メッセージ通知部は、合唱部のメンバー及びその保護者に通知し、回答受付部は、合唱部のメンバー及びその保護者からいずれかの選択肢が指定された回答を受け付ける。集計部は、回答を集計し、集計した結果、例えば、生徒Ａの回答（選択肢）と生徒Ａの保護者の回答とが一致しない場合、メッセージ通知部は、生徒Ａ及び生徒Ａの保護者に、再回答を求める旨を示す警告を通知する。
【００６６】
このような構成によれば、生徒と保護者との回答が一致する必要がある場合において、生徒と保護者に回答の一致を容易に促すことができる。
【００６７】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００６８】
１００  サーバ
２００  送付元端末
３００  宛先端末
４００  管理端末
５００  宛先選択画面
５１０  グループリスト
５２０  メンバーリスト
６００、７００  草稿
６１０、７１０  メッセージ
６２０、７２０  選択肢
６３０  宛先情報
６４０  パスワード記入欄
６５０  送信ボタン
７３０  差出人情報
７４０  最小グループ情報
８００  集計結果
【図１】
2018025899.tif 000003
【図２】
2018025899.tif 000004
【図３】
2018025899.tif 000005
【図４】
2018025899.tif 000006
【図５】
2018025899.tif 000007